(57)【特許請求の範囲】
【請求項１】
２枚のシートが直接、互いに剥離可能、かつ再接着可能な接着構造を介して接着され、これらシートの表出する表裏両面にはそれぞれ複数の個口管理情報記載部が離脱可能に設けられる一方、表出面の適所には配送情報記載部が設けられたことを特徴とする配送票。
【発明の詳細な説明】
【０００１】
【産業上の利用分野】
本発明は、複数個の配送品を同一の荷送り人が同一の届け先に配送する際に使用する配送票に関する。
【０００２】
【従来の技術】
従来、この種の配送にあたっては、配送伝票を各配送品毎に各別に記入して、１枚ずつ貼付する煩雑さを解消するために、１枚の配送伝票を一つの配送品に貼付する一方、前記配送伝票と同一の伝票番号をラベルに記入し、このラベルを残りの配送品に貼付することにより、伝票番号を照合して配送先を確認し、配送作業を行っている。
【０００３】
【発明が解決しようとする課題】
このため、従来においては、ラベルと配送伝票とは別体なので、各別に保管しなければならず、その管理が煩雑であり、また、配送品の数が多い場合には、多数のラベルに手書きで記入しなければならないので、作業が煩雑であるとともに、誤記が生じ易いという欠点がある。本発明は、これらの欠点を解消した配送票を提供することを目的とする。
【０００４】
【課題を解決するための手段】
２枚のシートが直接、互いに剥離可能、かつ再接着可能な接着構造を介して接着され、これらシートの表出する表裏両面にはそれぞれ複数の個口管理情報記載部が離脱可能に設けられる一方、表出面の適所には配送情報記載部が設けられたものである。
【０００５】
【作用】
２枚のシートを直接、互いに剥離可能、かつ再接着可能な接着構造を介して接着するとともに、その表出する表裏両面にそれぞれ複数の個口管理情報記載部を設けたので、多数の個口管理情報を配送情報とともに、１枚の配送票上に記載することができ、記入作業が容易になるほか、保管管理も容易であり、また、前記接着構造に対する剥離紙は不要となる。
【０００６】
【実施例】
以下、本発明の好適な実施例を添付図面に基づいて詳細に説明する。ここにおいて、図１は配送票を示す断面図、図２はその平面図、図３は接着構造に関する第２実施例を示す断面図である。
【０００７】
本発明を配送伝票に適用した実施例を説明する。図１及び図２に示すように、配送伝票３１は、貼付票３２の上に、これより天地方向の幅が狭い配達票３３及び売上票３４を接着剤３５ａ，３５ｂで綴じ合わせたうえ、天地方向の幅は前記貼付票３２と同一幅の透明カバー３６の三周縁を接着剤３７で綴じ合わせ、前記配達票３３及び売上票３４には、綴じ合わせ部分の内側に切り用ミシン目３８ａ，３８ｂを設け、前記各票３３，３４を前記透明カバー３６の開口端から抜き取り可能に構成している。また、前記貼付票３２の裏面には剥離剤３９ａ，３９ｂと粘着剤４０ａ，４０ｂとが交互に対向するよう配置した接着構造が設けられ、この接着構造を介して台紙４１が設けられている。
【０００８】
図２に示すように、売上票３４の表面には、伝票番号４２があらかじめ印刷されるとともに、届け先記入欄４３、依頼主記入欄４４、受付年月日記入欄４５、着店コード記入欄４６、品名記入欄４７、個数記入欄４８が設けられ、また、運送会社名４９があらかじめ印刷されている。そして、図示してはいないが、配達票３３及び貼付票３２の表面にも同様の記入欄及び表示が同一位置に設けられ、前記売上票３４の表面には筆圧が加えられると発色する自己発色剤層（図示せず）を設ける一方、前記売上票３４及び前記配達票３３の裏面にはカーボン複写構造を設けて、透明カバー３６上から記入した事項が、前記売上票３４、前記配達票３３及び貼付票３２の対応する各記入欄に複写記入されるよう構成している。
【０００９】
そして、貼付票３２と台紙４１とによって配送票を構成するもので、前記貼付票３２には配達票３３の突出端縁の直下に位置するよう切り用ミシン目５０が設けられ、その配達票３３側が上述した各記入欄を設けた配送情報記載部５１、その反対側である延出側がスリット５２ａ，５２ｂ，５２ｃによって、４つの個口管理情報記載部たる個口管理ラベル５３ａ，５３ｂ，５３ｃ，５３ｄが区画形成されている。これら各個口管理ラベル５３ａ，５３ｂ，５３ｃ，５３ｄの各表面には、個口数の何個目かを示す１個目から４個目までの個数番号と、伝票番号４２と同一の伝票番号と、この伝票番号の末尾に個数番号を付加した番号をバーコードで示したバーコード表示があらかじめ印字されている。
【００１０】
また、図示していないが、台紙４１の切り用ミシン目５４から売上票３４及び配達票３３の綴じ合わせ端側が、貼付票３２におけると同様に、スリットによって、４つに区画形成され、各表面には、個口数の何個目かを示す５個目から８個目までの個数番号と、伝票番号４２と同一の伝票番号と、この伝票番号の末尾に個数番号を付加した番号をバーコードで示したバーコード表示があらかじめ印字された個口管理情報記載部たる個口管理ラベルが設けられている。なお、この台紙４１には配送情報記載部は設けられていない。
【００１１】
本実施例は以上のように構成したので、所定の配送情報を売上票３４、配達票３３及び貼付票３２に印字あるいは手書きで複写記入したうえ、切り用ミシン目５０から各個口管理ラベル５３ａ，５３ｂ，５３ｃ，５３ｄを台紙４１とともに貼付票３２から剥離し、前記貼付票３２を露出した粘着剤４０ａで配送品（図示せず）に貼付する。各個口管理ラベル５３ａ，５３ｂ，５３ｃ，５３ｄ及び台紙４１の個口管理ラベル（図示せず）は配送品の数に合わせて各配送品に貼付し、個口管理ラベル５３ａ，５３ｂ，５３ｃ，５３ｄのバーコード表示をバーコードリーダーで読み取って、配送品の個口管理を行うものである。一方、売上票３４と配達票３３は適宜段階で各切り用ミシン目３８ｂ，３８ａから切り離し、従来同様配送作業に利用する
【００１２】
続いて、接着構造に関する他の実施例を図３に基づいて説明する。本実施例の接着構造は、配送票となる各シート６１，６２の各一面側に、アクリル系二液架橋型の接着力が強固な感圧性接着剤６３と、アクリル系二液架橋型の接着力が弱い再剥離型の感圧性接着剤６４をそれぞれ設け、これら各感圧性接着剤６３，６４によって前記各シート６１，６２を剥離可能に接着したものである。この接着構造においても、各シート６１，６２は剥離後に、露出した各感圧性接着剤６３，６４によって再接着可能である。
【００１３】
なお、本発明は上述した実施例に限らず、例えば配送伝票３１の構成は透明カバー３６の上に控票を設けてもよいほか、前記カバー３６の三周縁を綴じ合わせる封筒型に限られない。また、配送情報記載部における記載内容や記入欄も種々設定可能である。さらに、台紙４１の個口管理ラベルを設ける位置は特に特定されない。
【００１４】
【発明の効果】
以上説明したところで明らかなように、本発明によれば、多数の個口管理情報を記載できるので、多数の配送品を配送する場合に対応でき、また、配送時の個口管理が容易になるほか、取扱が簡便で、保管管理も容易であり、さらには、２枚のシートを直接、剥離可能かつ再接着可能に接着するので、接着構造を被覆する剥離紙は不要であるという効果を奏する。
【図面の簡単な説明】
【図１】配送票を配送伝票に適用した実施例を示す断面図。
【図２】同じく平面図。
【図３】接着構造に関する第２実施例を示す断面図。
【符号の説明】
３１      配送伝票
３２      貼付票
３３      配達票
３４      売上票
３６      透明カバー
４１      台紙
５１      配送情報記載部
５３ａ，５３ｂ，５３ｃ，５３ｄ      個口管理ラベル
６１，６２      シート
６３，６４      感圧性接着剤
【図１】
0003549218.tif 000002
【図２】
0003549218.tif 000003
【図３】
0003549218.tif 000004